(57)【要約】【課題】バンド部を切断せずにロックを解除することができない結束バンドを提供する。【解決手段】結束バンド４０のバンド部４２に、バンド部４２の挿通方向と逆方向の力をかけて係止部４７と歯部４３との噛合を解除するのに要する力よりも弱い力により切断可能な、他の部分よりも強度の弱い切断部４４を形成する。切断部４４は、係止頭部４１の挿通孔４６の挿入側４６Ａの入口付近で切れるようになっている。【選択図】図６
2013252169.tif 000002
【特許請求の範囲】
【請求項１】
挿通孔が形成された係止頭部と、係止頭部に連続して形成された可撓性を有する帯状のバンド部とを備え、バンド部を前記挿通孔に挿通させることにより、前記係止頭部の挿通孔内部に設けられた係止部が前記バンド部に形成された歯部に噛合して、バンド部の挿通方向と逆方向への抜脱を抑止する結束バンドにおいて、
前記バンド部には、他の部分よりも強度の弱い部分を設けることにより、所定の力が加えられた場合に切断される切断部が形成されており、
前記切断部は、前記バンド部で結束対象を結束し、前記係止部と前記歯部が噛合された場合に、少なくとも、前記係止部と前記歯部が噛合する箇所よりも前記バンド部の係止頭部との付け根側となるバンド部の所定箇所に形成されているとともに、前記バンド部に挿通方向と逆方向の力をかけて前記係止部と前記歯部との噛合を解除するのに要する力よりも、弱い力により切断される強度で形成されていることを特徴とする結束バンド。
【請求項２】
前記切断部は、前記バンド部で結束対象を結束し、適位置で前記係止部と前記歯部が噛合された場合に、前記挿通孔のバンド部を挿入する挿入側の入り口付近に位置することとなる箇所に形成されていることを特徴とする請求項１記載の結束バンド。
【請求項３】
請求項１又は２記載の結束バンドを封印具として用いる基板ケースであって、
ベースと、蓋体とによって、電子部品を実装した制御基板を収納可能であり、
前記蓋体には、前記制御基板に蓋体の外側からコネクタを接続するための開口部が形成されているとともに、前記蓋体に固定され前記開口部を覆うカバー部材が設けられ、
前記カバー部材及び前記蓋体には、それぞれ、前記蓋体に前記カバー部材を装着した状態で互いに当接又は近接して配置されるとともに前記結束バンドを取り付け可能なバンド取付部が設けられ、
前記蓋体のバンド取付部と前記カバー部材のバンド取付部を前記結束バンドのバンド部で結束して前記結束バンドを取り付けることにより、前記カバー部材を前記蓋体に封印固定可能に形成されていることを特徴とする基板ケース。
【請求項４】
請求項１又は２記載の結束バンドを封印具として用いる基板ケースであって、
ベースと、蓋体とによって、電子部品を実装した制御基板を収納可能であり、
前記蓋体には、前記ベースと固定される他の部材との固定部を覆うカバー部材を装着可能に形成され、
前記カバー部材及び前記蓋体には、それぞれ、前記蓋体に前記カバー部材を装着した状態で互いに当接又は近接して配置されるとともに前記結束バンドを取付可能なバンド取付部が設けられ、
前記蓋体のバンド取付部と前記カバー部材のバンド取付部を、前記結束バンドのバンド部で結束して前記結束バンドを取り付けることにより、前記カバー部材を前記蓋体に封印固定可能に形成されていることを特徴とする基板ケース。
【請求項５】
請求項３又は４記載の基板ケースを備えた遊技機であって、
前記基板ケースは、前記結束バンドが視認可能となるように遊技機の所定位置に固定されていることを特徴とする遊技機。
【請求項６】
遊技機に設けられる部材どうしを連結するために、請求項１又は２記載の結束バンドを用いることを特徴とする遊技機。
【発明の詳細な説明】
【技術分野】
【０００１】
この発明は、結束バンド及び結束バンドを使用する基板ケース及び基板ケースを備えた遊技機に関する。
【背景技術】
【０００２】
スロットマシンなどの遊技機において、制御基板を内蔵した基板ケースには、収納されている制御基板に対して不正にアクセスできないように、種々の封印が施されている。
例えば、特許文献１には、遊技機に敷設されるハーネス及びコネクタを、結束バンドで封止状態にし、この封止状態を解除しなければハーネスの取り外しや取り替えができないようにするとともに、ハーネスに対して不正が行われた際には、その痕跡が残るようにした基板ケースが開示されている。
【先行技術文献】
【特許文献】
【０００３】
【特許文献１】特開２００８−２８４０３５号公報
【発明の概要】
【発明が解決しようとする課題】
【０００４】
上記したように、基板ケースの封印具として、結束バンドを用いることは周知である。ここで、結束バンドは、歯部が形成されたバンドを、頭部の挿通孔に挿通させることにより、挿通孔の内部に形成された係止部がバンド部の歯部と係合して、バンド部が挿入方向と逆方向に抜けなくなるようロック状態となる。そして、バンド部や頭部を切断しないと、ロックを解除できないようになっている。しかし、バンド部を挿入方向と逆方向に強い力で引っ張ると、係止部が変形又は破壊されて、バンド部を切断せずに、頭部から抜き出すことができる場合がある。そうすると、バンド部を切断せずに結束バンドを取り外し、基板ケースを不正に開封した後に、取り外した結束バンドを再び取り付けて固定することが可能になって、不正な開封の痕跡が残らないという問題点がある。
【０００５】
そこで、本願発明は、第一に、バンド部を切断せずにロックを解除することができない結束バンドを提供することを目的とし、第二に、この結束バンドを用いて、不正行為を効果的に防止することができる基板ケースを提供することを目的とする。第三に、かかる基板ケースを備えた遊技機を提供することを目的とする。
【課題を解決するための手段】
【０００６】
本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、挿通孔(46)が形成された係止頭部(41)と、係止頭部(41)に連続して形成された可撓性を有する帯状のバンド部(42)とを備え、バンド部(42)を前記挿通孔(46)に挿通させることにより、前記係止頭部(41)の挿通孔(46)内部に設けられた係止部(47)が前記バンド部(42)に形成された歯部(43)に噛合して、バンド部(42)の挿通方向と逆方向への抜脱を抑止する結束バンド(40)に係る。そして、前記バンド部(42)には、他の部分よりも強度の弱い部分を設けることにより、所定の力が加えられた場合に切断される切断部（幅狭部44）が形成されている。そして、前記切断部(44)は、前記バンド部(42)で結束対象を結束し、前記係止部(47)と前記歯部(43)が噛合された場合に、少なくとも、前記係止部(47)と前記歯部(43)が噛合する箇所よりも前記バンド部(42)の係止頭部(41)との付け根側となるバンド部(42)の所定箇所に形成されているとともに、前記バンド部(42)に挿通方向と逆方向の力をかけて前記係止部(47)と前記歯部(43)との噛合を解除するのに要する力よりも、弱い力により切断される強度で形成されていることを特徴とする。
【０００７】
（作用）
本発明において、バンド部(42)を挿通孔(46)に挿通させ歯部(43)と係止部(47)が噛合している状態で、バンド部(42)に挿通方向と逆方向の力をかけた場合、切断部(44)が、係止部(47)と、バンド部(42)に対する作用点との間に位置している場合には、バンド部(42)にかかる力、例えば引っ張り力により、係止部(47)と歯部(43)との噛合が解除される前に、切断部(44)が切断される。また、切断部(44)が、係止部(47)と、バンド部(42)に対する作用点の間に位置していない場合であっても、例えばバンド部(42)と結束対象との隙間にドライバなどを差し込んでバンド部(42)を持ち上げた場合には、係止部(47)と歯部(43)との噛合が解除される前に、切断部(44)が切断される。
【０００８】
本発明によれば、バンド部(42)を切断しないで係止部(47)と歯部(43)との噛合を解除することを困難にすることができ、痕跡を残さずに結束対象から結束バンド(40)を取り外すことを防止できる。
（請求項２）
（特徴点）
請求項２記載の発明は、上記した請求項１記載の発明の特徴点に加え、前記切断部(44)は、前記バンド部(42)で結束対象を結束し、適位置で前記係止部(47)と前記歯部(43)が噛合された場合に、前記挿通孔(46)のバンド部を挿入する挿入側(挿入側46A)の入口付近に位置することとなる箇所に形成されていることを特徴とする。
【０００９】
（作用）
切断部(44)を切断させないでバンド部(42)を挿入方向と反対側に引き抜こうとする場合には、切断部(44)に力が掛からないように切断部(44)よりもバンド部(42)の先端側をつまんで引っ張る必要があるが、本発明によれば、挿通孔(46)の挿入側(46A)の入口付近に切断部(44)を設けてあるので、切断部(44)に力が掛からないようにバンド部(42)に引っ張り力を掛けることが不能又は極めて困難となる。
（請求項３）
（特徴点）
請求項３記載の発明は、請求項１又は２記載の結束バンド(40)を封印具として用いる基板ケースに係る。この基板ケースは、ベース（外装ケース71）と、蓋体（基板カバー10）とによって、電子部品を実装した制御基板（液晶制御基板100）を収納可能であり、前記蓋体(10)には、前記制御基板(100)に蓋体(10)の外側からコネクタ（接続コネクタ90）を接続するための開口部(12)が形成されているとともに、前記蓋体(10)に固定され前記開口部(12)を覆うカバー部材（コネクタカバー部材30）が設けられている。また、前記カバー部材(30)材及び前記蓋体(10)には、それぞれ、前記蓋体(10)に前記カバー部材(30)を装着した状態で互いに当接又は近接して配置されるとともに前記結束バンド(30)を取り付け可能なバンド取付部（台座部33、突片17）が設けられている。そして、前記蓋体(10)のバンド取付部(17)と前記カバー部材(30)のバンド取付部(33)を、前記結束バンド(40)のバンド部(42)で結束して前記結束バンド(40)を取り付けることにより、前記カバー部材(30)を前記蓋体(10)に封印固定可能に形成されていることを特徴とする。
【００１０】
（作用）
本発明においては、蓋体(10)の開口部(12)を通してコネクタ(90)を制御基板(100)の所定の接続部に接続し、カバー部材(30)を蓋体(10)の適位置に設置すると、カバー部材(30)が開口部(12)とコネクタ(90)を覆うとともに、蓋体(10)のバンド取付部(17)と前記カバー部材(30)のバンド取付部(33)が当接又は近接するように形成されている。そして、当接又は近接しているバンド取付部(17,33)を結束バンド(40)で結束することにより、カバー部材(30)が蓋体(10)に取り外し不能に固定される。カバー部材(30)を取り外すには、結束バンド(40)を切断しないとならないが、そうすると不正な開封の痕跡が残る。また、結束バンド(40)を切断せずに取り外そうとして、バンド部(42)を係止頭部(41)から抜き出す方向に引っ張れば、切断部(44)が切断されてしまう。
【００１１】
本発明によれば、制御基板(100)に接続されているコネクタ(90)を取り外し、不正基板を取り付けるような不正行為を防止することができる。
（請求項４）
（特徴点）
請求項４記載の発明は、１又は２記載の結束バンド(40)を封印具として用いる基板ケースであって、ベース(71)と、蓋体(10)とによって、電子部品を実装した制御基板(100)を収納可能である。前記蓋体(10)には、前記ベース(71)と固定される他の部材との固定部（ネジ固定部11、固定プレート73）を覆うカバー部材（ネジカバー部材20）を装着可能に形成され、前記カバー部材(20)及び前記蓋体(10)には、それぞれ、前記蓋体(10)に前記カバー部材(20)を装着した状態で互いに当接又は近接して配置されるとともに前記結束バンド(40)を取付可能なバンド取付部（台座部23、平板部14）が設けられている。そして、前記蓋体(10)のバンド取付部(14)と前記カバー部材(20)のバンド取付部(23)を、前記結束バンド(40)のバンド部(42)で結束して前記結束バンド(40)を取り付けることにより、前記カバー部材(20)を前記蓋体(10)に封印固定可能に形成されていることを特徴とする。
【００１２】
（作用）
本発明におけるカバー部材(20)は、ベース(71)と蓋体(10)との固定部のみを覆うものとすることができ、ベース(71)とベース(71)が固定される基体（例えば遊技機の筐体や前扉）との固定部のみを覆うものとすることができ、その双方を覆うものとしてもよい。
本発明においても、カバー部材(20)を蓋体(10)から取り外すには、結束バンド(40)を切断しないとならないが、そうすると不正な開封の痕跡が残る。また、結束バンド(40)を切断せずに取り外そうとして、バンド部(42)を係止頭部(41)から抜き出す方向に引っ張れば、切断部(44)が切断されてしまう。
【００１３】
本発明によれば、ベース(71)から蓋体(10)を取り外し、あるいは基板ケースを基板ケースが固定されている固定部から取り外して、制御基板(100)に悪戯をするような不正行為を防止することができる。
（請求項５）
（特徴点）
請求項５記載の発明は、請求項３又は４記載の基板ケースを備えた遊技機であって、前記基板ケースは、前記結束バンド(40)が視認可能となるように遊技機の所定位置に固定されていることを特徴とする。
【００１４】
（作用）
本発明において、請求項３記載の発明に係る基板ケースを備える場合には、基板ケースのコネクタ(90)を覆うカバー部材(30)を蓋体(10)に封印固定している結束バンド(40)が容易に確認できるので、コネクタ(90)の不正な抜き差しが行われたことを迅速に発見することができる。
また、請求項４記載の発明に係る基板ケースを備える場合には、基板ケースのベース(71)と固定される他の部材との固定部を覆うカバー部材(20,30)を蓋体(10)に封印固定している結束バンド(40)を容易に確認できるので、基板ケースが不正に取り外されたことや、基板ケースが不正に開封されたことを迅速に発見することができる。
【００１５】
（請求項６）
（特徴点）
請求項６記載の発明は、遊技機に設けられる部材どうしを連結するために、請求項１又は２記載の結束バンドを用いることを特徴とする遊技機に係る。
（作用）
本発明によれば、遊技機に内蔵される装置などの部材や遊技機の構成部材であって、みだりに取り外したり遊技機外部に取り出せないようにする必要がある部材を、結束バンド(40)で連結しておくことにより、それらの部材の不正な着脱を防止することができる。
【発明の効果】
【００１６】
本願発明は、以上のように構成されているので、バンド部を切断せずにロックを解除することができない結束バンドを提供することができ、この結束バンドを用いて、不正行為を効果的に防止することができる基板ケースを提供することができ、かかる基板ケースを備えた遊技機を提供することができる。
【図面の簡単な説明】
【００１７】
【図１】本発明の実施の形態であって、基板ケースの表面及び側面を示す図である。
【図２】液晶ユニットの分解斜視図である。
【図３】液晶ユニットの部分拡大斜視図である。
【図４】ネジカバー部材の斜視図である。
【図５】コネクタカバー部材の斜視図である。
【図６】結束バンドの正面図、側面図及び背面図である。
【図７】図６（Ａ）のVII−VII線拡大断面図である。
【図８】図１のVIII−VIII線断面図である。
【図９】図１のIX−IX線断面図である。
【図１０】スロットマシンの外観正面図である。
【図１１】前扉を開いたスロットマシンの斜視図である。
【発明を実施するための形態】
【００１８】
本発明を実施するための最良の形態を、遊技機としてスロットマシンを例に、図面に基づき説明する。
（スロットマシンＳ）
スロットマシンＳは、図１０及び図１１に示すように、大きく分けて、開口部を有する筐体１と、筐体１の開口部を開閉可能に塞ぐ前扉３とから構成されている。
筐体１は、図１０に示すように、前面（遊技者と対峙する正面）側に開口する箱体である。そして、筐体１の開口部の上部には、３個の回転リール2Aを備えたリールユニット２と、制御装置100が収納されており、開口部の下部には、電源ユニットとホッパーユニット５が設置されている。
【００１９】
ここで、リールユニット２は、筐体１に着脱自在に形成されており、制御装置200はリールユニット２の枠体に固定されている。制御装置200は、ＣＰＵ、ＲＯＭなど種々の電子部品を装着した制御基板（図示せず）を、基板ケースに収納したものであり、スロットマシンＳの作動を制御するためのものである。前記制御基板としては、主として遊技を制御するためのメイン基板と、主として遊技に付随する演出を制御するためのサブ基板とが設けられている。メイン基板とサブ基板は、別々の基板ケースに収納されていてもよい。ホッパーユニット５はメダルを貯留するとともに入賞時等にはメダルを払い出す払い出し装置である。
【００２０】
前扉３は、筐体１の側板にヒンジを介して回転自在に軸支された板状の扉であり、図１０に示すように、略中央部に回転リール2Aを正面側から見ることができる図柄表示窓3Eを有している。また、図柄表示窓3Eの上方には液晶ユニット７が設けられ、液晶ユニット７の側方にはランプ８が設けられているとともに、ランプ８の下方には上部スピーカ9Aが設けられている。
ここで、液晶ユニット７は、図１及び図２に示すように、液晶表示装置70と、液晶制御基板100と、基板カバー10とからなる。液晶表示装置70は、液晶パネル70Aと駆動回路基板等を備えた液晶モジュールを外装ケース71に収納したものである。外装ケース71は、液晶表示装置70を収納する箱形の枠であり、正面（液晶ユニット７を前扉３に固定しスロットマシンＳを正面視したとき前面側となる面）及び背面に開口部を有している。また、外装ケース71の背面の開口部は、塞ぎ板（図示せず）によって塞がれているとともに、塞ぎ板には、液晶表示装置70の作動を制御するための液晶制御基板100が固定されている。そして、外装ケース71の背面には、液晶制御基板100を覆う基板カバー10が取り付けられる。液晶制御基板100に設けられたチップには、ＣＰＵ機能があってもよいし、単なるＲＯＭであってもよい。外装ケース71に液晶表示装置70を収納すると、正面の開口部から液晶パネル70Aの画面を視認できるようになっている。なお、正面側の開口は液晶パネル70Aの画面を保護するための図示しないガラス板によって塞がれている。そして、図１１に示すように、外装ケース71を前扉３の裏面に前扉３の裏側から固定することにより、図１０に示すように、スロットマシンＳの正面側から液晶パネル70Aの画面が視認可能となる。
【００２１】
前扉３の高さ方向略中央部は、カウンター状に張り出す操作部４となっている。また、前扉３の下部には、メダルを貯めておくことができる下皿3Cが形成されており、下皿3Cの奥側の壁には、ホッパーユニット５から払い出されたメダルを下皿3Cに排出するためのメダル払い出し口3Dと、下部スピーカ9Bが設けられている。前記操作部４には、遊技メダルを投入するためのメダル投入口4A、回転リール2Aの回転を開始及び停止させるためのスタートスイッチ4B及びストップスイッチ4Cなどが設けられている。操作部４と下皿3Cの間には、下パネル3Bが設けられている。
さらに、図１１に示すように、前扉３の裏面には、前記メダル投入口4Aから投入されたメダルを誘導しながらメダルの真贋を判定するためのメダルセレクター６が設けられている。メダルセレクター６を通過したメダルは、ホッパーユニット５に転送され、メダルセレクター６によりキャンセルされたメダルは、図１０に示す下皿3Cに排出される。
【００２２】
なおスロットマシンＳは、メイン基板により行われる当選判定の抽選結果が所定の当選役に当選し、前記ストップスイッチ3Cの操作により当選図柄が入賞の態様となるように回転リール2Aを停止させることができると入賞となり、ホッパーユニット５からメダルが払い出されたり、ボーナスゲームなどの有利な遊技が開始されたりするようになっている。
（基板カバー10）
次に、前記液晶ユニット７に設けられている基板カバー10について詳述する。基板カバー10は、図１に示すように、表面板10Aと、表面板10Aの周囲に設けられた４つの側面板10B,10C,10D,10Eとを有し、裏面側（表面板10Aの反対側）が開口する透明な蓋体である。なお、図１は基板カバー10の表面板10Aを正面とした正面図及び側面図であり、図２及び図３は、基板カバー10の表面板10Aを上面とし、側面板10Cを正面とした液晶ユニット７の部分斜視図である。図２及び図３においては、図面上の上側を上方、下側を下方、左下側を前方、右上側を後方、右下側を右側、左上側を左側として説明する。
【００２３】
さて、基板カバー10の側面板10D及び10Eには、基板カバー10を外装ケース71に固定するためのネジ固定部11が設けられており、図示しない固定ネジによって液晶ユニット７の外装ケース71（図１参照）の裏面に固定することにより、液晶制御基板100を被覆するものである。すなわち、外装ケース71は基板カバー10を固定するベースとして機能しており、外装ケース71と基板カバー10は、液晶制御基板100を収納する基板ケースとしてとらえることができる。
ここで、外装ケース71には、図１及び図２に示すように、基板カバー10のネジ固定部11に対応するネジ固定部72が設けられているとともに、液晶ユニット７を前扉３に固定するための固定プレート73が設けられている。そして、固定プレート73のネジ孔を前扉３に設けられたネジ孔に合わせて固定ネジで固定することにより、液晶ユニット７が前扉３に取り付けられる。そして、前扉３を開放して前扉３を裏側から視ると、基板カバー10を透して液晶制御基板100の表面が視認可能となるようになっている。
【００２４】
また、図１（Ａ）に示すように、基板カバー10の表面板10Aを正面視したときの右側下方部には、側面板10Cと側面板10Dの一部を切り欠き表面板10Aの角部を一段低くした段差部が形成されており（図３参照）、この段差部には、表裏面方向に貫通する方形のコネクタ開口12が形成されている。コネクタ開口12は、基板カバー10を外装ケース71の適位置に取り付けると、液晶制御基板100に設けられた基板コネクタ110（図２参照）と合致する（表面板10Aを正面視したときに前後に重なる）位置に設けられており、基板コネクタ110に接続される接続コネクタ90を挿通可能である。ここで、基板コネクタ110は、液晶制御基板100に搭載された電子部品と、プリント配線により接続されており、接続コネクタ90は、制御装置200とハーネスを介して接続されている。接続コネクタ90を基板コネクタ110に接続することにより、液晶制御基板100と制御装置200のメイン基板又はサブ基板が電気的に接続される。
【００２５】
さらに、本実施の形態における基板カバー10は、図１及び図２に示すように、側面板10Dの側面板10C側（図１における右下側）に位置する外装ケース71の固定プレート73及び基板カバー10のネジ固定部11を覆うカバー部材としてのネジカバー部材20と、コネクタ開口12を覆うカバー部材としてのコネクタカバー部材30とを備えている。各カバー部材は、封印具である結束バンド40によって、基板カバー10の表面板10Aに固定されている。なお、図２では結束バンド40の記載を省略している。そして、表面板10Aのコネクタ開口12が形成されている段差部は、ネジカバー部材20を取り付けるためのネジカバー装着部13と、コネクタカバー部材30を取り付けるためのコネクタカバー装着部16として機能する。ネジカバー装着部13は、図３に示すように、段差部の前方側の領域であり、コネクタカバー装着部16は、ネジカバー装着部13から左側に張り出す領域を有するネジカバー装着部13の後方側の領域である。
【００２６】
ネジカバー装着部13においてコネクタカバー装着部16との境界付近には、図３に示すように、ネジカバー部材20を係止するための左右方向に長い開口部である被係合部13Aが形成されている。また、被係合部13Aの前方側には、２つの開口部である導通孔15が前後方向に並んで形成されている。導通孔15は、後述する結束バンド40のバンド部42（図６、図８参照）を導通可能とするものである。そして、２つの導通孔15の間の平板部14は、ネジカバー装着部13の適位置にネジカバー部材20をセットしたときに、ネジカバー部材20のバンド取付部である台座部23と当接するバンド取付部である（図８参照）。なお、図２では、被係合部13A及び導通孔15の記載を省略している。
【００２７】
コネクタカバー装着部16は、図３に示すように、コネクタ開口12の右側に形成された前後方向に長い開口部である被係合部16Aを備えている。被係合部16Aは、コネクタカバー部材30を係止するためのものである。また、コネクタ開口12を挟んで被係合部16Aの対向側には、表面板10Aの段差部の側壁から右側に向かって水平に張り出す突片17が形成されている。突片17は、コネクタカバー装着部16の適位置にコネクタカバー部材30をセットしたときに、コネクタカバー部材30のバンド取付部である台座部33と当接するバンド取付部である（図９参照）。突片17の下方は、空間部18となっている。空間部18は、結束バンド40のバンド部42を導通可能とするものである。なお、図２では、被係合部16A及び突片17の記載を省略している。
【００２８】
（ネジカバー部材20）
ネジカバー部材20について、図４に基づき説明する。ここで、図４は、ネジカバー部材20を、表面板10Aを上面とし側面板10Cを正面とした基板カバー10に取り付けた場合の斜視図である。図４においては、図面上の上側を上方、下側を下方、左下側を前方、右上側を後方、右下側を右側、左上側を左側として説明する（以下、図５において同じ）。なお、図１（Ａ）のVIII−VIII線断面を示す図８は、図面上の上側を上方、下側を下方、左側を前方、右側を後方として説明する（以下、図１（Ａ）のIX−IX線断面を示す図９において同じ）。
【００２９】
ネジカバー部材20は、図４に示すように、ネジカバー部材20を基板カバー10に取り付けたとき側面板10Dの側方（図２参照）に位置する略立方体形のカバー部21と、カバー部21に連続して形成されネジカバー部材20を基板カバー10に取り付けたとき表面板10Aの上面（ネジカバー装着部13）に位置する略平板状の載置固定部22とを備えている。カバー部21は、固定プレート73及びネジ固定部11を覆うためのものであり、載置固定部22は、ネジカバー部材20を基板カバー10に固定するためのものである。カバー部21の下端は載置固定部22の下端よりも下側まで延びている。
載置固定部22には、載置固定部22の上面よりも上方に突出する側面視略三角形状の台座部23が形成されている。具体的には、台座部23は、図８に示すように、側面視したときの三角形の鋭角部に面取りが施され、後方に下り傾斜した傾斜部23Aを有する三角柱形状を呈しており、傾斜部23Aには結束バンド40の係止頭部41をセットすることができるようになっている。台座部23は、ネジカバー装着部13の適位置にネジカバー部材20をセットしたときに、ネジカバー装着部13のバンド取付部である平板部14と当接するバンド取付部である（図８参照）。なお、図示した例では台座部23と平板部14が当接しているが、当接していなくても近接していればよい。また、台座部23の前後には、上下方向に貫通する開口部24が設けられている。開口部24は、ネジカバー部材20をネジカバー装着部13に設置したときに、ネジカバー装着部13の導通孔15と連通するようになっている（図８参照）。
【００３０】
さらに、載置固定部22の後端部には、載置固定部22の上面よりも一段低く形成された段部25が設けられており、段部25の下方には、ネジカバー装着部13の被係合部13Aに差し込み可能な係合部26が形成されている。段部25の機能については後述する。係合部26は、側面視アール型の鉤部であり（図８参照）、ネジカバー部材20を基板カバー10の表面板10Aに対して直立させた状態にして係合部26の先端部を被係合部13Aに挿入し、ネジカバー部材20の底部が表面板10Aと平行になるように回動させることにより、係合部26の先端部が被係合部13Aの縁部に係合し、ネジカバー部材20を基板カバー10に仮固定させることができる。その後、結束バンド40により、ネジカバー部材20を基板カバー10に固定するものであるが、これについては後述する。
【００３１】
（コネクタカバー部材30）
コネクタカバー部材30について、図５に基づき説明する。ここで、図５は、コネクタカバー部材30を、表面板10Aを上面とし側面板10Cを正面とした基板カバー10に取り付けた場合の斜視図である。
コネクタカバー部材30は、図５に示すように、全体的に略平板状に形成され、図２に示すように、基板カバー10の表面板10Aの上面（コネクタカバー装着部16）に配置される。コネクタカバー部材30の略中央部には、方形の凹部34が形成されており、この凹部34の右側（コネクタカバー部材30を基板ケースに取り付けたときの側面板10D側）がコネクタ開口12を覆うためのカバー部31となっている。また、凹部34を挟んでカバー部31の対向側は、コネクタカバー部材30を基板カバー10に固定するための載置固定部32となっている。
【００３２】
載置固定部32には、載置固定部32の上面よりも上方に突出する側面視略三角形状の台座部33が形成されている。具体的には、台座部33は、図９に示すように、側面視したときの三角形の鋭角部に面取りが施され、後方に下り傾斜する傾斜部33Aを有する三角柱形状を呈しており、傾斜部33Aに結束バンド40の係止頭部41をセットすることができるようになっている。
ここで、凹部34の凹底部34Aには、上下方向に貫通する開口部341が形成されており、凹部34の左側の側壁34Bには、開口部341と連通し左右方向に貫通する開口部342が形成されている。また、台座部33の左側は、前記凹部34の上方に横方向から突出しており、コネクタカバー装着部16の適位置にコネクタカバー部材30をセットすると、コネクタカバー装着部16の突片17が前記開口部341,342を通過して、凹部34の内部であって台座部33の下方に位置するようになっている。すなわち、台座部33は、コネクタカバー装着部16のバンド取付部である突片17と当接するバンド取付部である（図９参照）。なお、図示した例では台座部33と突片17が当接しているが、当接していなくても近接していればよい。そして、凹部34は、コネクタカバー部材30をコネクタカバー装着部16に設置したときに、コネクタカバー装着部16の空間部18と連通するようになっている（図９参照）。
【００３３】
さらに、コネクタカバー部材30の前面右端部には、前方に向かって突出する側面視鉤型の押さえ片35が設けられており、コネクタカバー部材30の右側面の下方には、コネクタカバー装着部16の被係合部16Aに差し込み可能な係合部36が形成されている。押さえ片35は、ネジカバー部材20をネジカバー装着部13に設置した状態で、コネクタカバー部材30をコネクタカバー装着部16に設置することにより、ネジカバー部材20の段部25を上方から押さえる役割を果たすものである（図８参照）。係合部36は、ネジカバー部材20の係合部26と同様の形状を有しており、コネクタカバー部材30を基板カバー10の表面板10Aに対して直立させた状態にして係合部36の先端部を被係合部16Aに挿入し、コネクタカバー部材30の底部が表面板10Aと平行になるように回動させることにより、係合部36の先端部が被係合部13Aの縁部に係合し、コネクタカバー部材30を基板カバー10に仮固定させることができる。その後、結束バンド40により、コネクタカバー部材30を基板カバー10に固定するものであるが、これについては後述する。
【００３４】
（結束バンド40）
次に、結束バンド40について、図６及び図７に基づき詳述する。ここで、図６（Ａ）は結束バンド40の表面図、図６（Ｂ）は右側面図、図６（Ｃ）は裏面図である。
結束バンド40は、図６及び図７に示すように、挿通孔46を有する係止頭部41と、係止頭部41に連続して形成された可撓性を有する帯状のバンド部42を備えている。バンド部42は、係止頭部41の一端から挿通孔46の挿通方向と同方向に延設されている。そして、バンド部42の先端部42Bを、根本部41Aの反対側に位置する挿通孔46の挿入側46A（図７参照）から挿入するとともに導出側46Bから導出して、リング状になったバンド部42で、結束対象を結束可能に形成されているものである。導出側46Bから導出されたバンド部42は、適切な位置、具体的には、図８、図９に示すように、挿入孔46の導出側46Bから突出する部分が極力少なくなるような、挿入孔46の導出側46の出口ぎりぎりの箇所で切断する。
【００３５】
係止頭部41は、図６（Ａ）に示すように、挿通孔46の両側に位置する側壁部41Aのうち、一方側の側壁部41Aから横方向（挿通孔46の挿通方向と直交する方向）に張り出す舌片41Bを有し、この舌片41Bには遊技機メーカーのロゴなどの識別表示が形成されている。ここで、結束バンド40は、基板カバー10とカバー部材を固定する場合には、舌片41Bの識別表示が表面側（基板カバー10の表面板10Aを正面視したときの手前側）を向くように取り付けられるものであり、識別表示を視認できる面が結束バンド40の表面となる。挿通孔46の内部であって挿入側46A寄りには、図６（Ａ）及び図７に示すように、表面側に複数の鋸歯状の歯部47Aが横方向（結束バンド40の長さ方向と直交する方向）に形成された係止部47が設けられている。また、挿通孔46の導出側46Bには、バンド部42の付け根よりも表面側に突出する側面視くさび形の突起部41Dが形成されている。また、係止頭部41の成型時に形成された裏面側の開口部は、裏板41Cにより塞がれている。
【００３６】
バンド部42は、図６（Ｃ）に示すように、裏面における長さ方向の略中央部に、複数の鋸歯状の歯部43が横方向に形成されている。歯部43は、バンド部42の先端部42Bを係止頭部41の挿通孔46に挿入側46Aから挿入すると係止部47の歯部47Aと噛合し（図８、図９参照）、バンド部42の挿入方向と逆方向への抜脱を抑止するようになっている。また、歯部43が形成されているバンド部42の両側縁部には、図６（Ｂ）に示すように、裏面側に突出する側面視台形のリブ45が相対向して形成されている。そして、歯部43の係止頭部41側には、図６（Ａ）及び図７に示すように、２つのリブ45の間にわたって長方形の開口部42Cが形成されており、バンド部42の根本部42Aと先端部42Bは開口部42Cの両側のリブ45が形成された部分によってのみ連結されているものとなっている。すなわち、開口部42Cの両側の部分は、他の部分よりも強度の弱い切断部としての狭幅部44となっている。ここにおいて、リブ45は、歯部43が形成されている部に掛かるねじれ方向の力に対する補強とともに、狭幅部44を適度に補強する役割も果たしている。さらに、バンド部42の先端部42B寄りの裏面には、図６（Ｂ）（Ｃ）に示すように、前記歯部43よりも歯のピッチが大きく形成された仮止め歯部48が形成されている。仮止め歯部48は、係止頭部41の挿通孔46にバンド部42の先端部42Bを挿入する際に、バンド部42を一時係止するためのものである。
【００３７】
ここで、歯部43と係止部47が噛合した状態で、バンド部42を、挿通孔46への挿入方向と逆方向に、一定以上の力で引っ張ることにより、係止部47が変形又は破損して、噛合が解除されるようになっているが、狭幅部44の強度は、前記のようにして歯部43と係止部47の噛合を解除することができる力よりも、弱い力で切断されるような強度に設定されている。なお、狭幅部44の強度は、歯部43と係止部47の噛合の強度よりも弱いものであれば、強度差はどの程度あっても構わない。
またここで、歯部43の形成位置は、結束対象、すなわち基板カバー10とカバー部材のバンド取付部（平板部14と台座部23、及び突片17と台座部33）の外周長に合わせて、最適な締結力で結束可能となる位置にあらかじめ設定されている。具体的には、バンド部42の係止頭部41との付け根から歯部43までの長さは、係止頭部41が台座部23,33の傾斜部23A,33Aにセットされた状態で、バンド部42をバンド取付部の外表面に沿ってリング状にしたときに、少なくとも１つの歯部43が係止部47と噛合可能となるような長さに設定されている。歯部43及び係止部47の歯部47Aの数は、少なくとも１つあればよいが、バンド部42が結束対象を適切な強度で結束可能な状態となったときに、図８、図９に示すように、係止部47の歯部47Aの全てが歯部43と噛合可能なる数としてもよい。なお、係止部47の歯部47Aの数が多いほど、バンド部42を係止する力は強くなる。そして、ネジカバー部材20を基板カバー10に固定する場合には、平板部14と台座部23の外周にバンド部42を掛け回したときにバンド部42が適切な強度で平板部14と台座部23を締め付けることができる位置に歯部43が形成された結束バンド40が用いられ、コネクタカバー部材30を基板カバー10に固定する場合には、突片17と台座部33の外周にバンド部42を掛け回したときにバンド部42が適切な強度で突片17と台座部33を締め付けることができる位置に歯部43が形成された結束バンド40が用いられる（図８、図９参照）。本実施の形態では、コネクタカバー部材30用よりもネジカバー部材20用の方が長尺の結束バンド40が用いられ、図６に示したのは、長尺の結束バンド40である。コネクタカバー部材30用の結束バンド40は特に図示しないが、バンド部42の長さ及び歯部43の形成位置が異なる以外は、図６に示す結束バンド40と同様の構成を有している。
【００３８】
そして、基板カバー10とカバー部材のバンド取付部を結束バンド40で固定した場合には、歯部43が係止部47と噛合するとともに、前記狭幅部44が、挿通孔46の挿入側46Aの近傍に位置するようになっている（図８、図９参照）。
（液晶ユニット７の封印）
上記構成を有する結束バンド40を用いて、前扉３に固定した液晶表示装置70及びカバー部材を封印する手順を、図８及び図９に基づき説明する。ここで、図８及び図９は、基板カバー10の表面板10Aを上側とした図であるが、以下の説明では、図面上の上側を前方、下側を後方、左側を下方、右側を上方として説明する。
【００３９】
まず、基板カバー10を液晶表示装置70の外装ケース71の裏面に固定ネジで固定するとともに、コネクタ開口12に接続コネクタ90を差し込んで、基板コネクタ110に接続する。そして、最初に、ネジカバー部材20をネジカバー装着部13にセットする。すなわち、既述したように、係合部26を被係合部13Aに挿入してネジカバー部材20を回動させて取り付ける。係合部26が被係合部13Aに係止されるので（図８参照）、ネジカバー部材20が落下することはない。このとき、カバー部21は、外装ケース71の固定プレート73のうち、前扉３の裏側から液晶ユニット７を見たときに右下方に位置する固定プレート73を、前方（表面板10Aを正面視したときの手前側）から覆っている（図１（Ａ）参照）。同時に、固定プレート73に近接して位置している基板カバー10のネジ固定部11の前方も覆っている。また、図８に示すように、ネジカバー部材20の台座部23は、ネジカバー装着部13の平板部14に当接しており、ネジカバー部材20の開口部24は、ネジカバー装着部13の導通孔15と連通している。
【００４０】
次に、結束バンド40で台座部23と平板部14を結束する。具体的には、裏面側を手前側にしたバンド部42を、下側（側面板10C側、図３参照）に位置している導通孔15から挿入し、上側に位置している導通孔15から導出させ、台座部23の傾斜部23Aに係止頭部41を表向きにセットして、バンド部42の先端を挿通孔46の挿入側46Aから挿入する。バンド部42は、連通している導通孔15及び開口部24を通って、台座部23と平板部14を一周した形となる。なお、上側に位置する導通孔15の後方に位置する壁部は、図８に示すように、後方から前方に向かう曲面となっているので、下側の導通孔15からバンド部42の先端を挿入してこの曲面に当接させれば、前方に位置する開口部24に容易に誘導できるようになっている。そして、導出側46Bからバンド部42の先端を導出し、歯部32と係止部47が噛合して適正な締結力となる適位置まで引っ張って、台座部23と平板部14を結束する。
【００４１】
なお、歯部23が係止部47に噛合したか否かは、バンド部42を引っ張る際に、歯部23が係止部47に噛合して抵抗力が発生することにより判断できるが、バンド部42が適位置となったかどうかは、例えば、バンド部42に目印を付けておくことにより把握できる。目印が係止頭部41の所定位置（例えば挿入側46Aの入り口付近や導出側46Bの出口付近）に位置すると、歯部23と係止部47が噛合して適正な締結力で結束できることとなるように形成しておく。こうすれば、バンド部42を引きすぎて歯部32と係止部47の噛合が外れてしまうことがない。そして、導出側46Bから露出しているバンド部42を、極力、導出側46Bの近傍で切り取る。図８に示すように、バンド部42の切断端部42Dが、係止頭部41のバンド部42の付け根側の端部（突起部41D）から突出しない長さで切り取るのが好ましい。このように切り取ることにより、突出しているバンド部42をペンチ等で引っ張り、突起部41Dとバンド部42の間に生じた隙間から異物を差し込むなどして係止部47と歯部43との噛合を解除して結束バンド40を切断せずに取り外す不正行為を防止することができる。
【００４２】
台座部23と平板部14が結束されることにより、ネジカバー部材20が基板カバー10に取り外し不能に固定される。これにより、外装ケース71と基板カバー10の間に液晶制御基板100が封止され、液晶制御基板100に外部からアクセス不能な状態が形成される。ネジカバー部材20を取り外すには、結束バンド40のバンド部42を切断しなければならず、痕跡が残る。また、バンド部42を切断せずに結束バンド40を取り外すために、導出側46Bから異物を挿入して歯部32と係止部47の噛合を解除しようとしても、導出側46Bとバンド部42との隙間は、突起部41Dにより塞がれているので、極めて困難である。さらに、バンド部42を挿入方向の反対方向に引っ張ると、歯部32と係止部47の噛合が解除される前に、狭幅部44がちぎれてしまうので、バンド部42を切断せずに結束バンド40を取り外すことができない。これにより、結束バンド40を切断することなく、固定プレート73を介して外装ケース71を前扉３に固定している固定ネジや、基板カバー10を外装ケース71に固定している固定ネジを取り外すことができない。
【００４３】
ちなみに、本実施の形態においては、台座部23の傾斜部23Aに、挿入側46Aが開口部24の奥側（図８における図面上の下側）に位置し、導出側46Bが台座部23の先端側（図８における図面上の上側）に位置するように係止頭部41を設置する構成としてある。このため、導出側46Bからバンド部42を引き出すのは容易であるが、バンド部42を挿入方向の反対方向に引っ張るのは困難なものとなっている。また、バンド部42を掛け回す台座部23の外周には面取りが施されているので、バンド部42を台座部23の外周にできるだけ密着させて結束することができ、バンド部と台座部23との隙間を少なくして不正を行い難くするという効果もある。これらのことは図９に示すコネクタカバー部材30の台座部33においても同様である。
【００４４】
さて、コネクタカバー部材30は、ネジカバー部材20を固定した後に装着する。
コネクタカバー部材30の係合部36をコネクタカバー装着部16の被係合部16Aに挿入し、コネクタカバー部材30を回動させて基板カバー10に取り付ける。係合部36が被係合部16Aに係止されるとともに、載置固定部32はコネクタカバー装着部16の段差部に嵌っているので（図９参照）、コネクタカバー部材30が落下することはない。このとき、カバー部31は、コネクタ開口12を前方から覆っている。なお、接続コネクタ90のハーネスは、基板カバー10とコネクタカバー部材30の間にできる隙間からコネクタカバー部材30の外に導出しておく。また、図９に示すように、コネクタカバー部材30の台座部33は、開口部341,342から凹部34内に突出しているコネクタカバー装着部16の突片17に当接しており、コネクタカバー部材30の凹部34は、突片17の後方の空間部18と連通している。そして、コネクタカバー部材30の押さえ片35は、ネジカバー部材20の段部25の前方に位置している（図８参照）。
【００４５】
ここにおいて、ネジカバー部材20を取り外すには、係合部26と被係合部13Aの係合を解除するためにネジカバー部材20を手前側に回動させなければならないが、係合部26の手前側の段部25は、押さえ片35によって前方への移動を規制されている。したがって、コネクタカバー部材30を基板カバー10に固定した場合には、ネジカバー部材20は、コネクタカバー部材30を先に取り外すか、押さえ片35を破壊するかしないと、基板カバー10から取り外せないこととなる。
次に、結束バンド40で台座部33と突片17を結束する。すなわち、バンド部42を台座部33の下側の凹部34から挿入し、突片17の後方の空間部18を通して台座部33の上側の凹部34に導出させ、台座部33の傾斜部33Aに係止頭部41を表向きにセットして、バンド部42の先端を挿通孔46の挿入側46Aから挿入する。結束バンド40の締結方法は、上記したネジカバー部材20の取付時と同様である。
【００４６】
台座部33と突片17が結束されることにより、コネクタカバー部材30が基板カバー10に取り外し不能に固定される。これにより、接続コネクタ90に外部からアクセス不能な状態が形成される。
コネクタカバー部材30を取り外すには、結束バンド40のバンド部42を切断しなければならず、痕跡が残るのは、上記と同様である。そして、結束バンド40を切断することなく、接続コネクタ90を取り外すことができない。
（総括）
以上のように、本実施の形態においては、液晶制御基板100を覆う基板カバー10に、液晶表示装置70の外装ケース71と前扉３との固定部（固定プレート73）、及び外装ケース71と基板カバー10との固定部（ネジ固定部11）を覆うネジカバー部材20を設けている。このため、液晶ユニット７が不正に前扉３から取り外されたり、基板カバー10が不正に取り外されて内部の液晶制御基板100が改変されたりすることを防止できる。また、基板カバー10に、液晶制御基板100に接続コネクタ90を接続するためのコネクタ開口12を覆うコネクタカバー部材30を設けている。このため、接続コネクタ90が不正に取り外されて、不正な基板類が取り付けられたりするのを防止できる。そして、コネクタカバー部材30を取り外さないとネジカバー部材20を取り外せないようにしてあるので、液晶ユニット７の不正な着脱を効果的に防止することができる。なお、ネジカバー部材20は、液晶表示装置70の外装ケース71と前扉３との固定部、外装ケース71と基板カバー10との固定部の少なくともいずれか一方を覆うものであってもよい。
【００４７】
また、本実施の形態においては、前記カバー部材を固定する封印具として、結束バンド40を用いており、この結束バンド40は、バンド部42の歯部43が係止頭部41の係止部47と噛合している場合に、バンド部42に挿通方向と逆方向の力をかけて係止部47と歯部43との噛合を解除するのに要する力よりも、弱い力により切断される切断部（狭幅部44）を設けてある。これにより、バンド部42を挿入方向と逆方向に引き抜いてバンド部42を切断せずに取り外すことが不可能となり、不正な封印解除の痕跡を残すことができる。
また、本実施の形態においては、歯部43を、結束対象（台座部22と平面板14、台座部33と突片17）を好適な強度で締結可能なバンド部42の適位置に形成するとともに、切断部としての狭幅部44を、歯部43の近傍に設けてある。このため、結束対象を結束すると適位置で係止部47と歯部43が噛合し、狭幅部44が挿入側46Aの入口付近に位置することとなり、狭幅部44に張力が加わらないようにバンド部42をペンチ等でつまんで引き出すことも困難にしている。
【００４８】
また、本実施の形態においては、基板カバー10の表面側（前扉３を開放したときに容易に目視できる場所）に、結束バンド40の取付部（台座部23,33）を配置しているとともに、結束バンド40の係止頭部41には、所定の識別表示が付されているので、結束バンド40を切り取ってカバー部材を取り外した後、汎用の結束バンドを用いて固定しても、不正な取り外しがすぐに露見してしまう。
なお、上記した実施の形態は、結束バンド40で基板カバー10に設けるカバー部材を封印するものであったが、本体ケースとカバーケースから成り内蔵される制御基板を密閉する基板ケースを、結束バンド40で封印するようにしてもよい。また、基板ケースを、基板ケースの取り付け対象（筐体１やリールユニット２の枠体）に固定する場合の固定部に、結束バンド40による封印を施してもよい。
【００４９】
（変形例）
上記した実施の形態では、結束バンド40の切断部として、狭幅部44を設けていたが、切断部はかかる狭幅部に限られず、肉薄部や、強度の弱い素材で形成した部分であってもよい。また、上記した実施の形態では、歯部43をバンド部42の所定位置にのみ形成してあったが、歯部43をバンド部42の全長にわたって形成してもよい。さらに、切断部を設ける場所は、１箇所に限られず、例えば所定のピッチで、複数箇所に設けてもよい。この場合の切断部の強度は、歯部43と係止部47が噛合した状態で、バンド部42を挿通孔46の挿通方向に引っ張る場合には切断しないが、逆方向に引っ張ると歯部43と係止部47の噛合が解除される前に切断するような強度に設定するのが最適である。そして、切断部のピッチは、どこで切断されても、必ず挿通孔46の内部又は挿入側46Aの入口の近傍で切断されるような長さ（つまり係止頭部41の挿通方向の長さよりも短い長さ）とするのが好ましい。このように形成した場合には、結束過程において、バンド部42で結束対象をほぼ適正な強度で締結でき、かつ切断部が挿通孔46の内部又は挿入側46Aの入口の近傍に位置したところで、バンド部42を挿通方向に引くのを止めて結束作業を終了することにより、結束対象の周長にかかわらず、同一の結束バンド40を用いることができる。
【００５０】
また、上記した実施の形態では、結束バンド40を基板カバー10の封印具として使用していたが、本発明に係る結束バンド40は、基板カバー10の封印に限られず、遊技機内部の装置や部材に取り付ける封印具として利用することもできる。例えば、液晶ユニット７やメダルセレクター６を前扉３に固定するときに、固定するとともに封印する封印固定具として、あるいは固定のための固定具（例えばネジ）とは別の封印具として、結束バンド40を用いることができる。また、リールユニット２を筐体１に固定するときに、封印固定具として、あるいは固定のための固定具とは別の封印具として、結束バンド40を用いることができる。本発明に係る結束バンド40は、もちろん、遊技機内部に配置されるハーネスを結束するものとして用いてもよく、上記以外の遊技機内部に配置された装置などの部材を、遊技機の構成部材である前扉や筐体に連結して固定又は封印するために用いてもよいものである。さらには、遊技機内部に配置された部材どうしや、遊技機を構成する部材どうしを、連結して固定又は封印するために用いてもよいものである。
【００５１】
本発明は、スロットマシン以外の遊技機、例えばパチンコ遊技機も使用できるものである。
【符号の説明】
【００５２】
10  基板カバー（蓋体）            11  ネジ固定部
12  コネクタ開口（開口部）        13  ネジカバー装着部
14  平板部（バンド取付部）        15  導通孔
16  コネクタカバー装着部          17  突片（バンド取付部）
18  空間部
20  ネジカバー部材                23  台座部（バンド取付部）
30  コネクタカバー部材            33  台座部（バンド取付部）
40  結束バンド                    41  係止頭部
42  バンド部                      43  歯部
44  狭幅部（切断部）              46  挿通孔
46A  挿入側                        47  係止部
70  液晶表示装置                  71  外装ケース（ベース）
72  ネジ固定部                    73  固定プレート
90  接続コネクタ                 100  液晶制御基板
Ｓ  スロットマシン（遊技機）
【図１】
2013252169.tif 000003
【図２】
2013252169.tif 000004
【図３】
2013252169.tif 000005
【図４】
2013252169.tif 000006
【図５】
2013252169.tif 000007
【図６】
2013252169.tif 000008
【図７】
2013252169.tif 000009
【図８】
2013252169.tif 000010
【図９】
2013252169.tif 000011
【図１０】
2013252169.tif 000012
【図１１】
2013252169.tif 000013